(57)【要約】【課題】従来のデジタル放送受信機では、字幕と文字スーパーを同時に受信するとすぐに表示されてしまう。しかし、これでは字幕と文字スーパーを同時に読まなければならず、字幕と文字スーパーを読みきれなくなってしまう。また、このとき画面を占める割合が大きくなり、本来の放送番組の妨げになり、見づらくなってしまう。特に携帯受信機では、画面サイズが小さくその見づらさは顕著である。【解決手段】字幕と文字スーパーを同時に受信しても、文字スーパーの表示タイミングや表示時間を制御することで字幕と文字スーパーを読みきれるようにするとともに、字幕や文字スーパーが放送番組の妨げにならないようにした。【選択図】図２
2006005861.tif 000002
【特許請求の範囲】
【請求項１】
映像信号と音声信号と字幕と文字スーパーが多重化されたデジタル放送信号を受信して文字スーパーを表示する文字スーパー表示装置において、
字幕と文字スーパーを同時に受信した場合は、文字スーパーのデータをいったんメモリに蓄積し、字幕が表示されないタイミングで前記蓄積した文字スーパーを表示することを特徴とする文字スーパー表示装置。
【請求項２】
字幕の表示頻度を計測して、字幕の表示頻度が一定値を超えている場合に文字スーパーを受信したときは、文字スーパーの表示時間を通常よりも長くすることを特徴とする請求項１に記載の文字スーパー表示装置。
【請求項３】
文字スーパーの表示中に字幕を受信し表示する場合は、文字スーパーの表示時間を延長することを特徴とする請求項２に記載の文字スーパー表示装置。
【請求項４】
文字スーパーの表示時間は、表示している字幕と文字スーパーの複雑さから算出することを特徴とする請求項２または３に記載の文字スーパー表示装置。
【請求項５】
字幕と文字スーパーの文字サイズを変え、画面全体に対する文字情報の占める面積の割合を小さくすることを特徴とする請求項２に記載の文字スーパー表示装置。
【請求項６】
映像信号と音声信号と文字スーパーが多重化されたデジタル放送信号を受信して文字スーパーを表示する文字スーパー表示装置において、
受信した文字スーパーの内容を解析して重要度を判断し、その重要度により前記文字スーパーの表示時間を決定することを特徴とする文字スーパー表示装置。
【請求項７】
前記文字スーパーの重要度は視聴者の操作により設定変更したり、解析用キーワードを登録あるいは削除できることを特徴とする請求項４に記載の文字スーパー表示装置。
【請求項８】
受信した文字スーパーから地域情報を抽出し、地域情報によって分類した重要度設定に従って表示時間を決定することを特徴とする請求項６または７に記載の文字スーパー表示装置。
【請求項９】
映像信号と音声信号と文字スーパーが多重化されたデジタル放送信号を受信して文字スーパーを表示する文字スーパー表示装置において、
文字スーパーが繰り返しであるかどうかを判別し、繰り返しであると判断したときは、文字スーパーを表示する代わりに、先に受信した文字スーパーと同じ内容であることを意味するアイコンを表示することを特徴とする文字スーパー表示装置。
【請求項１０】
文字スーパーの繰り返し受信回数をカウントし、回数も表示することを特徴とする請求項９に記載の文字スーパー表示装置。
【請求項１１】
映像信号と音声信号と字幕と文字スーパーが多重化されたデジタル放送信号を受信して文字スーパーを表示する文字スーパー表示方法において、
字幕と文字スーパーを同時に受信した場合は、文字スーパーのデータをいったんメモリに蓄積し、字幕が表示されないタイミングで前記蓄積した文字スーパーを表示することを特徴とする文字スーパー表示方法。
【請求項１２】
映像信号と音声信号と文字スーパーが多重化されたデジタル放送信号を受信して文字スーパーを表示する文字スーパー表示方法において、
受信した文字スーパーの内容を解析して重要度を判断し、その重要度により前記文字スーパーの表示時間を決定することを特徴とする文字スーパー表示方法。
【請求項１３】
映像信号と音声信号と文字スーパーが多重化されたデジタル放送信号を受信して文字スーパーを表示する文字スーパー表示方法において、
文字スーパーが繰り返しであるかどうかを判別し、繰り返しであると判断したときは、文字スーパーを表示する代わりに、先に受信した文字スーパーと同じ内容であることを意味するアイコンを表示することを特徴とする文字スーパー表示方法。
【請求項１４】
コンピュータに映像信号と音声信号と字幕と文字スーパーが多重化されたデジタル放送信号を受信して文字スーパーを表示させるための文字スーパー表示プログラムにおいて、
字幕と文字スーパーを同時に受信した場合は、文字スーパーのデータをいったんメモリに蓄積し、字幕が表示されないタイミングで前記蓄積した文字スーパーを表示することを特徴とする文字スーパー表示プログラム。
【請求項１５】
コンピュータに映像信号と音声信号と文字スーパーが多重化されたデジタル放送信号を受信して文字スーパーを表示させるための文字スーパー表示プログラムにおいて、
受信した文字スーパーの内容を解析して重要度を判断し、その重要度により前記文字スーパーの表示時間を決定することを特徴とする文字スーパー表示プログラム。
【請求項１６】
コンピュータに映像信号と音声信号と文字スーパーが多重化されたデジタル放送信号を受信して文字スーパーを表示させるための文字スーパー表示プログラムにおいて、
文字スーパーが繰り返しであるかどうかを判別し、繰り返しであると判断したときは、文字スーパーを表示する代わりに、先に受信した文字スーパーと同じ内容であることを意味するアイコンを表示することを特徴とする文字スーパー表示プログラム。
【発明の詳細な説明】
【技術分野】
【０００１】
本発明はデジタル放送受信機に関するものであって、文字スーパーの表示装置および方法に関するものである。
【背景技術】
【０００２】
従来の文字スーパー表示方法は、文字スーパーが受信された場合、文字スーパーをメモリに記録し、視聴者の意思により映像信号への文字スーパーの重畳の有無を選択するというものであった（特許文献１参照）。具体的には図に従来の文字スーパー表示方法の構成図を示している。
【特許文献１】特開２００１−３０９２７６号公報
【発明の開示】
【発明が解決しようとする課題】
【０００３】
しかしながら、前記従来の構成では、字幕と文字スーパーを同時に受信した場合でも、文字スーパーを表示する可能性があり、字幕と文字スーパーを同時に読まなければならず、どちらかの文字を読みきれなくなってしまう。またこのとき放送映像の妨げになり見づらくなってしまう。特に画面サイズが小さい携帯受信機では字幕・文字スーパーが画面を占める割合が多くなり、その見づらさは顕著である。本発明は、前記従来の課題を解決するもので、字幕と文字スーパーを同時受信した場合でも、文字スーパーの表示方法を変更し、字幕と文字スーパーを読み切れるようにするとともに、文字スーパーが放送映像の妨げにならないようにしたデジタル放送受信機を提供することを目的とする。
【課題を解決するための手段】
【０００４】
前記従来の課題を解決するために、本発明の文字スーパー表示装置は、映像信号と音声信号と字幕と文字スーパーが多重化されたデジタル放送信号を受信して文字スーパーを表示する文字スーパー表示装置において、字幕と文字スーパーを同時に受信した場合は、文字スーパーのデータをいったんメモリに蓄積し、字幕が表示されないタイミングで蓄積した文字スーパーを表示することができる。
【０００５】
また、映像信号と音声信号と文字スーパーが多重化されたデジタル放送信号を受信して文字スーパーを表示する文字スーパー表示装置において、受信した文字スーパーの内容を解析して重要度を判断し、その重要度により前記文字スーパーの表示時間を決定することができる。
【０００６】
また、映像信号と音声信号と文字スーパーが多重化されたデジタル放送信号を受信して文字スーパーを表示する文字スーパー表示装置において、文字スーパーが繰り返しであるかどうかを判別し、繰り返しであると判断したときは、文字スーパーを表示する代わりに、先に受信した文字スーパーと同じ内容であることを意味するアイコンを表示することができる。
【発明の効果】
【０００７】
本発明により、字幕と文字スーパーが同時受信されても、文字スーパーの表示方法をかえることで、字幕と文字スーパーを読みきれなくならないようにするとともに、文字スーパーが放送映像の妨げにならないようにし、放送映像が見づらくなってしまうことを防止できる。
【発明を実施するための最良の形態】
【０００８】
以下本発明の実施の形態について、図面を参照しながら説明する。
【０００９】
（実施の形態１）
本発明についてデジタル放送を受信する受信機を例に示す。
【００１０】
図１に本発明に係る受信機のハードウェア構成図を示す。この受信機ではデジタル放送信号を受信するアンテナ部と、デジタル放送信号を選局するチューナー２と、デジタル放送信号をトランスポートストリーム（デジタルデータ）に復調する復調部３と、映像信号や音声信号と字幕と文字スーパーなどが多重化されたトランスポートストリームを映像信号や音声信号と字幕と文字スーパーに分離するＴＳデコーダ４と、音声信号をデコードする音声デコーダ５と、映像信号をデコードする映像デコーダ６と、映像と字幕・文字スーパーなどの文字情報を合成する合成部７と音声を発生するスピーカ８と映像を表示する画面９とＲＯＭ１０やＲＡＭ１１などのメモリとＣＰＵ１２により構成される。
【００１１】
図２は本実施の形態による受信機のブロック図である。
【００１２】
以下に各ブロックの機能を説明する。
【００１３】
チューナー１０１では選局した映像信号、音声信号、字幕、文字スーパーなど多重化されたデジタル放送信号を受信する。
【００１４】
復調部１０２ではデジタル放送信号をデジタルデータであるトランスポートストリームに変換する。
【００１５】
ＴＳデコーダ部１０３では多重化されたトランスポートストリームを放送映像、音声信号、字幕、文字スーパーなどに分離する。
【００１６】
蓄積メモリ１０４は映像信号、音声信号、字幕、文字スーパーなどを一時的に保存したりする。
【００１７】
ユーザー設定管理部１０５では視聴者の設定情報を保持する。
【００１８】
デコーダ制御部１０６は、ＴＳデコーダ部１０３で分離された映像信号と音声信号を音声デコーダ部１０７、映像デコーダ部１０８に転送するか蓄積メモリ部１０４に転送するかの制御処理をする。
【００１９】
音声デコーダ部１０７では、音声信号のデコード処理を実施して、アナログ信号に変換し、音声出力部１１２に転送する。
【００２０】
映像デコーダ部１０８では、映像信号のデコード処理を実施して、所定のフォーマットに変換する。
【００２１】
文字スーパー解析部１０９では、文字スーパーの復号化処理と解析処理を実施して、所定のフォーマットに変換し、合成部１１１に転送する。具体的な解析処理は後で記述する。
【００２２】
字幕解析部１１０では字幕の復号化処理と解析処理を実施する。具体的な解析処理は後で記述する。
【００２３】
合成部１１１では映像デコーダ部１０９から転送された映像信号と文字スーパー解析部１０９から転送された文字スーパーと字幕解析部１１０から転送された字幕を所定の位置に配置し、合成する。
【００２４】
音声出力部１１２では音声デコーダ部１０７から転送された音声信号を出力する。
【００２５】
映像出力部１１３では合成部１１１から転送された合成映像を出力する。
【００２６】
次に本受信機は以下の手順で動作する。
【００２７】
（１）映像信号と音声信号と字幕と文字スーパーが多重化されたデジタル放送信号をチューナー１０１で視聴者が選択した放送番組の搬送波が選択される。選択された搬送波は復調部１０２に転送される。
【００２８】
（２）復調部１０２でチューナー１０１から搬送波をトランスポートストリーム（以下ＴＳと略す）と呼ばれるデジタルデータに復調する。
【００２９】
（３）復調されたＴＳをシステムバスを通じてＴＳデコーダ部１０３に転送する。
【００３０】
（４）ＴＳデコーダ部１０３で多重化されたデジタルデータを映像信号、音声信号、字幕、文字スーパー等に分離する。ＴＳは固定長のパケットを連ねることで構成されている。この１パケットに映像信号や音声信号や字幕や文字スーパーなどのデジタルデータが挿入されている。ＴＳデコーダ部１０３は、このデジタルデータを同じ種類のパケット同士を繋ぎ合わせ、ＰＥＳと呼ばれるフォーマットに変換する。
【００３１】
（５）映像信号と音声信号はデコーダ制御部１０６へ、字幕は字幕解析部１１０へ、文字スーパーは文字スーパー解析部１０９へそれぞれ転送する。
【００３２】
（６）デコーダ制御部１０６では映像信号と音声信号をデコード処理するタイミングまで待ちその後、映像信号は映像デコーダ部１０８へ、音声信号は音声デコーダ部１０７へ転送する。ＰＥＳに可変長のＰＥＳヘッダーが付加されている。このヘッダー部には出力時刻を示すＰＴＳと呼ばれるパラメータが挿入されており、そのＰＴＳと受信機が持っているＳＴＣと呼ばれるシステム時間を比較することによって出力のタイミングを制御する。デコード処理するタイミングまで待つ際、蓄積メモリ１０４に映像信号と音声信号を蓄積しておく。
【００３３】
（７）音声デコーダ部１０７でＴＳデコーダ部１０３より転送された音声信号をデコード処理して、アナログ信号に変換する。
【００３４】
（８）映像デコーダ部１０８でデコーダ制御部１０６より転送された映像信号を所定のフォーマットの映像信号にデコード処理をして、表示位置情報とともに合成部１１１に転送する。
【００３５】
（９）文字スーパー解析部１０９でＴＳデコーダ部１０３より転送された文字スーパーの復号化処理を実施する。復号化された文字スーパーを解析して、ユーザー設定管理部１０５の設定内容と照合しながら、解析内容に応じて文字スーパーの表示タイミングや表示時間、表示するかしないか、表示するフォントや色、文字サイズなどの処理を実施した後、表示位置情報を付加して、合成部１１１に転送する。このとき必要に応じて文字スーパーを蓄積メモリ部１０４に保持しておく。なお文字スーパーの表示位置は、受信した文字スーパーに附属の情報をそのまま使う場合と、ユーザー設定管理部１０５から表示位置を取得する場合がある。
【００３６】
（１０）字幕解析部１１０でＴＳデコーダ部１０３より転送された字幕の復号化処理をする。復号化された字幕を必要に応じて文字サイズを変更し、表示位置情報とともに合成部１１１に転送する。
【００３７】
（１１）合成部１１１では復号化された映像信号、字幕、文字スーパーを所定の位置に合成する。ここでは複数の表示プレーンを設け、奥側のプレーンに映像信号を、手前側のプレーンに字幕と文字スーパーをそれぞれがもっている表示位置情報に従って表示する。
【００３８】
これらのプレーン全部を合成し、画像表示部１１３に転送する。映像デコーダ部１０８、文字スーパー解析部１０９、字幕解析部１１０から転送されたらデータはすぐに合成し、映像出力部に転送する。
【００３９】
（１２）音声出力部１１２では音声を出力する。
【００４０】
（１３）映像出力部１１３では合成した画像を出力する。
【００４１】
次に字幕と文字スーパーを同時受信したときの表示方法について説明する。
【００４２】
文字スーパーを受信したかどうかはＴＳデコーダ部１０３より文字スーパーが転送されたかどうかで判定する。
【００４３】
ＴＳデコーダ部１０３から文字スーパーが転送されたとき、字幕解析部１１０により字幕を合成部１１１に転送しているかどうかで判定する。もし字幕が転送されてないなら、文字スーパーをそのまま表示する。
【００４４】
ここで、字幕解析部１１０から合成部１１１への字幕転送が絶えず行われ、文字スーパーを表示できるタイミングがすぐにやってこないとする。このとき、文字スーパーを表示できなくなってしまい、視聴者が文字スーパーを読みことができなくなってしまう。そこで、このようなときは字幕と文字スーパーを同時表示する。しかし文字スーパーの表示時間は指示されている時間よりも長くし、視聴者が字幕と文字スーパーを読みきれるだけの十分な時間を与える。この時間は後に記述する計算式によって求める。また、字幕と文字スーパーを同時に表示すると、必然的に字幕・文字スーパーが画面を占める割合が多くなってしまうので自動的に字幕・文字スーパーの文字サイズを小さくしてもよい。
【００４５】
以上をより効率的に処理するために、字幕の表示状態に応じて３つの状態（字幕無表示状態、字幕通常表示状態、字幕頻繁表示状態）に分ける。各状態の定義を図３に、状態遷移表を図４に示す。ここでＳとは字幕の状態を決定するための期間であり、例えば１０秒程度の時間である。またＰは字幕通常表示状態と字幕頻繁表示状態を分ける閾値である、表示確率とは以下の式で与えられるものである。
【００４６】
表示確率＝（字幕表示カウンタ数）／（Ｓ秒間のサンプリング数）
この表示確率を求めるためのアルゴリズムを図５に示す。
【００４７】
まず、Ｓ秒間を等間隔（Ｔ秒）にサンプリングする。そのサンプリング間隔は例えば１００ミリ秒程度でよい。この時間Ｔでサンプリング処理を起動し、字幕を表示しているかどうかを調べる（ステップＳ１０）。この起動トリガーは割り込みにしてもよいし、周期ハンドラにしてもよい。もし字幕を表示しているなら、字幕表示カウンタをアップさせる（ステップＳ１１）。ここでＳの範囲から外れるＳ秒前の状態を調べる（ステップＳ１２）。この時刻で字幕を表示していたなら、字幕表示カウンタをダウンさせる（ステップＳ１３）。この字幕表示カウンタをＳ秒間のサンプリング数で割ることによって字幕表示確率を求めることができる（ステップＳ１４）。
【００４８】
次に状態遷移が発生する様子を図６を参照しながら説明する。一定周期（たとえば１秒）おきに、字幕の表示確率を調べる。もし表示確率が０なら、字幕無表示状態に遷移する（ステップＳ３０、ステップＳ３２）。
【００４９】
もし表示確率がＰ未満なら、字幕通常受信状態に遷移する（ステップＳ３１、ステップＳ３２）。Ｐ以上なら字幕頻繁受信状態に遷移する（ステップＳ３４）。この処理を行うブロックはＴＳデコーダ部１０３でもよいし、字幕解析部１１０でもよい。最後に現在の字幕蓄積量を保持して終了する。
【００５０】
次に文字スーパーを受信したときの表示方法について説明する（図７参照）。
【００５１】
まず、字幕の表示状態をチェックする（ステップＳ５１）。字幕無表示状態で文字スーパーを受信したときは、そのまますぐに文字スーパーを表示する（ステップＳ５２）。字幕通常表示状態で文字スーパーを受信したときは、直ちに文字スーパーは表示せず、いったん字幕の表示が消えるのを待って表示する（ステップＳ５４〜Ｓ５６）。字幕通常表示状態では字幕がいったん消えたのち次の字幕が表示されるまで時間があり、この間に文字スーパーを表示する。しかし、字幕通常受信状態でも、字幕がいったん消えてもすぐに受信し、表示される可能性は十分にある。そこで文字スーパーを表示している間に次の字幕を受信したら、（Ａ）で示す計算式で求められた時間だけ文字スーパーを長く表示するとよい。文字スーパーを長く表示することによって、字幕と文字スーパーの同時表示でも、文字を読みきるだけの十分な時間を与えることができる（ステップＳ５７〜Ｓ５８）。
【００５２】
（Ａ）  αΣｍＡｍ＋βΣｎＢｎ
以下に式（Ａ）について説明する。ここでｍは現在表示している字幕の前からの番号であり、同様にｎは現在表示している文字スーパーの前からの番号である。Ａｍ、Ｂｎは文字の複雑さを示すものであり、例えば図８に示すように文字コードからアルファベットやひらがななどの文字の種類によって分類する。さらに漢字であるときは漢字の画数を判定する。漢字の画数は予め文字コードとの対応表を登録しておくことで判別できる。これらの分類に応じて複雑さを示す数値が与えられる。これらの和をとることで文字を読むだけの時間を計算することができる。
【００５３】
字幕頻繁表示状態で文字スーパーを受信したとき、字幕が表示されてないタイミングが見つかる確率はきわめて低い。よってこのときは（Ａ）式で計算される表示時間を指定されている表示時間に加える（ステップ５７）。
【００５４】
（実施の形態２）
以下では字幕と文字スーパーの同時表示時において、文字スーパーの内容に応じて、表示方法を変えることができる。単に文字スーパー単独受信に適用しても良い。まず、文字スーパーに重要度設定を設ける。これは文字スーパーの内容に応じてその重要度を視聴者が自由に設定し、特に知りたい文字スーパーは長く表示し、それほど重要でない文字スーパーは短く表示するというものである。
【００５５】
文字スーパーの重要度は図９に示すように、キーワードに応じて設定する。図９に示すように重要度別に表示時間を設定してもよいし、あるはい表示・非表示を選択できるようにしてもよい。
【００５６】
具体的には、受信した文字スーパーはすぐには表示せず、いったん蓄積メモリ部１０４に保存し、文字スーパーの内容を解析する。メモリに蓄積した文字スーパーの解析は文字スーパー解析部１０９で行う。ここで予め登録されたキーワードを含むかどうかを判別する。登録するキーワードは図９に示すように予め決めておく。視聴者固有のキーワードも追加できるものとする。
【００５７】
受信した文字スーパーがこれらのキーワードに一致した場合に、そのキーワードに従って文字スーパーの重要度を割り当て、この重要度に従って文字スーパーの表示時間を決定する。これにより視聴者にとって重要な情報は長く、不要な情報は短く表示したり、または非表示にできる。
【００５８】
例えば、受信した文字スーパーが「午後０時頃、台風１９号が○○半島に上陸」という内容であったする。このとき文字スーパーに台風というキーワードが含まれており、この文字スーパーは重要度Ｂに分類される。そのまま表示する場合より３秒間長く表示する。
【００５９】
このように重要度別に分類した文字スーパーは、その重要度別に文字スーパーの色やフォントを変えることもでき、色やフォントを変えることによって視聴者にとってどの分類に該当するかわかりやすくすることもできる。
【００６０】
視聴者にとって遠方の地域で発生した文字スーパーは重要でないこともある。このような場合も表示時間を短くしたり、表示しないなどの選択ができるようにする。このように文字スーパーを発生した地域別に分類する地域別分類設定というものを設ける。受信した文字スーパーの中に予め登録しておいた地名（ここでは都道府県名）があるかどうかを検索する。検索結果に基づき表示時間を決定する。この検索処理も文字スーパー解析部１０９で実施する。地名は単に登録だけしておいてもよいし、重要度設定できるようにしておいてもよい。
【００６１】
例えば視聴者は東京都に住んでいるとする。「東京都○○○区で火災発生」などの文字スーパーは、表示時間を長くする。視聴者は他の都道府県に住んでいても、親族が東京に住んでいるなら東京都を登録しておくことで表示時間を長くすることができる。複数の都道府県名が検出された場合は、もっとも重要度の高いものに合わせた処理を行う。都道府県名が検出されなかった場合は、この地域別分類設定の対象外とする。
【００６２】
（実施の形態３）
受信した文字スーパーが繰り返しであるとき、視聴者にとってすでに承知済みの情報であることもある。このとき、２回目以降の文字スーパーの表示時間は１回目より短くてもよいし、繰り返しであるアイコンを表示してもよい。そのために文字スーパーが繰り返しであるかどうかを判別する機能を提供する。この判別は文字スーパー解析部１０９で行う。以下の手順で判別する（図１０参照）。
【００６３】
（１）文字スーパーを受信したとき、文字スーパー解析部１０９で復号化処理した文字スーパーとそのときの時刻を蓄積メモリ部１０４に保持しておく（ステップＳ７１）。
【００６４】
（２）次の文字スーパーの受信で、蓄積メモリ部１０４に保持されている文字スーパーの時刻を比較し、規定時間内（例えば５分以内）であるなら、受信した文字スーパーと蓄積メモリ部１０４に保持した文字スーパーを文字コードとして比較する（ステップＳ７２、Ｓ７３）。
【００６５】
（３）比較結果が同一であるなら、文字スーパーを所定のアイコンに置き換え、合成部１１１に転送する（ステップＳ７４）。比較結果が同一でないなら、そのまま合成部１１１に転送する（ステップＳ７７）。
【００６６】
（４）文字スーパーが数回の繰り返しであるとき、その繰り返しの回数を測定し、繰り返しのアイコンと同時に繰り返しの回数も合わせて、合成部１１１に転送する（ステップＳ７５、Ｓ７６）。
【００６７】
アイコンの種類は文字スーパーの分類に応じて使い分けても良い。その表示状態を図１１に示す。なお重要度が高いときは３回目からアイコン表示に切り替えてもよい。
【産業上の利用可能性】
【００６８】
本発明にかかる文字スーパー表示装置および方法は、字幕と文字スーパーを同時に受信しても文字スーパーの表示タイミングを遅らすなど、字幕と文字スーパーが読みきれなくなってしまうことを防止でき、デジタル放送の受信装置等として有用である。
【図面の簡単な説明】
【００６９】
【図１】本発明の実施の形態におけるデジタル放送受信機のハードウェア構成図
【図２】本発明の実施の形態におけるデジタル放送受信機のブロック図
【図３】本発明の実施の形態における字幕の状態を定義した図
【図４】本発明の実施の形態における字幕の状態遷移を表した図
【図５】本発明の実施の形態における字幕の表示確率を求めるフローチャート
【図６】本発明の実施の形態における字幕の状態遷移が発生するときのフローチャート
【図７】本発明の実施の形態における文字スーパーの表示方法を示すフローチャート
【図８】本発明の実施の形態における字幕と文字スーパーの複雑さを提示した図
【図９】本発明の実施の形態における文字スーパーの重要度設定の一例を示す図
【図１０】本発明の実施の形態における繰り返し受信した文字スーパーの表示方法を示したフローチャート
【図１１】本発明の実施の形態における繰り返し受信した文字スーパーの表示例を示す図
【符号の説明】
【００７０】
１    アンテナ
２    チューナー
３    復調部
４    ＴＳデコーダ
５    音声デコーダ
６    映像デコーダ
７    合成部
８    スピーカ
９    画面
１０    ＲＯＭ（Ｆｌａｓｈ）
１１    ＲＡＭ（主メモリ）
１２    ＣＰＵ
１０１    チューナー
１０２    復調部
１０３    ＴＳデコーダ部
１０４    蓄積メモリ部
１０５    ユーザー設定管理部
１０６    デコーダ制御部
１０７    音声デコーダ部
１０８    映像デコーダ部
１０９    文字スーパー解析部
１１０    字幕解析部
１１１    合成部
１１２    音声出力部
１１３    映像出力部
【図１】
2006005861.tif 000003
【図２】
2006005861.tif 000004
【図３】
2006005861.tif 000005
【図４】
2006005861.tif 000006
【図５】
2006005861.tif 000007
【図６】
2006005861.tif 000008
【図７】
2006005861.tif 000009
【図８】
2006005861.tif 000010
【図９】
2006005861.tif 000011
【図１０】
2006005861.tif 000012
【図１１】
2006005861.tif 000013